【事件の表示】
　商願２００６−　　９７２４拒絶査定不服審判事件について、次のとおり審決する。
【結　論】
　本件審判の請求は、成り立たない。
【理　由】
１　本願商標　
　本願商標は、「ヤンニョムキムチドレッシング」の文字を標準文字で表してなり、第３０類「ドレッシング」を指定商品として、平成１８年２月７日に登録出願されたものである。
　
２　原査定の拒絶の理由の要点　
　原査定は、「本願商標は、『ヤンニョムキムチ用のドレッシング』『キムチのもと入りのドレッシング』の意を表したものと看取される『ヤンニョムキムチドレッシング』（ヤンニョムは、香辛料を意味する韓国語。）の文字を書してなるものであるから、これを指定商品について使用しても、単に商品の品質を表示するにすぎないものと認める。したがって、本願商標は、商標法第３条第１項第３号に該当する。」旨認定、判断し、本願を拒絶したものである。
　
３　当審の判断　
（１）本願商標は、前記１のとおり「ヤンニョムキムチドレッシング」の文字を標準文字で表してなるところ、構成中前半の「ヤンニョム」の文字は「合わせ調味料、たれ」（株式会社小学館「朝鮮語辞典」）、中間の「キムチ」の文字は「朝鮮の漬け物。塩漬にした野菜に、ニンニク・ショウガ・トウガラシ・塩辛などを合せて漬け込む。」（株式会社岩波書店「広辞苑第五版」）を意味する語であり、また、後半の「ドレッシング」の文字は「サラダなどの調味に用いる和え酢。」（株式会社岩波書店「広辞苑第五版」）の意味を有する語であり、それぞれの意味合いからして、全体として「キムチのたれ入りドレッシング」又は「キムチ用合わせ調味料入りドレッシング」の意味合いを容易に理解させるというのが相当である。
　近年、日本と韓国の交流が盛んになり、日本においても韓国に関する様々な情報が入って来ているところ、その情報は、韓国の文化、生活、料理等多岐にわたるものであり、料理については、例えば「ビビンバ」、「プルコギ」、「ナムル」といった朝鮮語の表音がそのままで日本に紹介され、韓国料理店において提供され、料理名や商品名として浸透している実情がある。
　そして、「ヤンニョム」が主にキムチを漬けるために用いられる「合わせ調味料、たれ」であること、また、「朝鮮の漬け物」として一般に良く知られている「キムチ」味のドレッシングが「キムチドレッシング」と称して紹介され、また、表示されている実情がある。
（２）上記実情は、下記の新聞記事、雑誌、インターネット情報等からも裏付けられるところである。
ア．新聞記事情報
（ア）２００８年２月１７日　毎日新聞地方版／北海道　１９頁
　「千客万来：札幌　『キムチ専門店　山麓』　／北海道」の見出しの下、「北区新琴似に店を構える『キムチ専門店　山麓（さんろく）』は、こだわりの自家製キムチを店頭販売。市内は宅配も行って好評だ。店内は純和風の粋な装い。キムチは一枚一枚丁寧に塩漬けした白菜を、本場韓国産の厳選したトウガラシ、何種類もの野菜、果物から作られる独自の
ヤンニョム
（イ）２００７年１２月１８日　毎日新聞東京朝刊　１５頁
　「食べるナビ：韓国の食を訪ねる　たっぷり野菜、元気の源」の見出しの下、「キムチを製造しているソウル郊外の『豊味（プンミ）食品』では、白菜が旬の今がキムチを漬け込む最盛期。２４〜３６時間白菜を塩漬けにし、トウガラシやニンニク、ネギなどの薬念（
ヤンニョム
（ウ）２００７年１０月２４日　日本食糧新聞
　「鍋物調味料特集：主要メーカー動向＝モランボン」の見出しの下、「野菜売場向けには、野菜の鍋スープの素として、ウェル・ビン・ライフ『すりおろし野菜仕込み　キムチチゲの素』、『同　カムジャタンの素』、菜の匠『きのこ鍋用スープ』『同はりはり鍋用スープ』を新発売。一度に１０００ｇの野菜が取れるヘルシー感を訴求した商品で、ウェル・ビン・ライフは野菜で野菜を包んで食べるをコンセプトとし、すりおろし野菜と
ヤンニョム
（エ）２００７年７月１６日　日本食糧新聞
　「エバラ食品工業、『おいしいキムチ』ボトル４００ｇ導入」の見出しの下、「今回発売する『おいしいキムチ　ボトル４００ｇ』（オープン価格）は白菜を食べやすくカットし、
ヤンニョム
（オ）２００１年１０月１日　外食レストラン新聞
　「インタビュー・韓国料理ブームを語る：有紀食品代表取締役社長・田中晃氏」の見出しの下、「いまのラインアップは三六品種。一番売れているのは焼肉のたれで、次にコチジャン、韓国スープ、冷麺、
キムチドレッシング
（カ）２００１年９月１７日　日本食糧新聞
　「韓国・韓国風食材特集：トピックス＝味彦発酵、『韓国シリーズ』出揃う」の見出しの下、「同社はキムチ大豆、キムチ鍋つゆ、
キムチドレッシング
（キ）２００１年１月１日　日本食糧新聞
　「元旦号・１集・１部：２１世紀の日本と食品産業革命・完熟時代の４つの視点」の見出しの下、「韓国食品の成長性が見込まれる中で、日本の加工食品の伸び悩みがみられ、日本を代表するメーカーがこの分野に参入した。・大手製粉…韓国風お好み焼（パジョン）発売、・大手酢企業（ビビンバ、クッパ、チャプチェ）、・中国食材企業（
キムチドレッシング
（ク）１９９７年１２月１２　日本食糧新聞
　「中部・北陸版 極東資材機器
キムチドレッシング
（ケ）１９９４年２月１１日　日本食糧新聞
　「丸美屋食品工業、ピリ辛、深みの味『麻婆ドレッシング』など３月８日から発売」の見出しの下、「丸美屋食品工業（株）は、中華ドレッシングのニュータイプ『麻婆ドレッシング』（びん入り二〇〇ｍｌ）『
キムチドレッシング
イ．雑誌
（ア）成美堂出版株式会社発行「赤く熱く豪快に　キムチ料理　味わいつくす本格ピリ辛料理１００」７頁には、「
ヤンニョム
（イ）株式会社柴田書店発行「韓国料理　−伝統の味・四季の味−」８７頁には、「薬念　薬念は
ヤンニョム
（ウ）東京書籍株式会社発行「食べまくり韓食韓菜大全」１３３頁には、「このヤンニョム（薬念）というものの使い方が、韓国料理の味の基本になっている。その巧拙が、韓国料理をつくる人の味覚の差になる。
ヤンニョム
ウ．インターネット情報
（ア）株式会社モランボンが運営するホームページの中の「モランボン薬念研究所」には、「韓国の食文化」の見出しの下、「薬念(
ヤンニョム
（イ）株式会社フードレーベルが運営するホームページの「品質管理」の項には、「牛角キムチのこだわり」の見出しの下、「旨さの秘密は
ヤンニョム
ヤンニョム
（ウ）株式会社ほし山が運営するホームページの「商品一覧」の項には、「特選
ヤンニョム
（エ）株式会社韓国広場が運営するホームページ「Ｈｉｒｏｂａ」の「グルメ」の項には、「
ヤンニョム
ヤンニョム
（オ）ユウキ食品株式会社が運営するホームページの「商品紹介＆ショッピング」のページ中、「韓国食材」の調味料のうち「
キムチドレッシング
キムチドレッシング
（カ）ヤマサン醤油株式会社が運営するホームページの「オンラインショップ」のスペイン産オリーブ関連商品のうち、「ドレッシング」の見出しの下、「
キムチドレッシング
（キ）山元醸造株式会社が運営するホームページ「ｙａｍａｇｅｎ−ｊｏｕｚｏｕ．ｃｏｍ」の「商品カタログ」のうち、「ドレッシング」の見出しの下、「
キムチドレッシング
（３）そうすると、本願商標は、これをその指定商品「ドレッシング」に使用しても、これに接する取引者、需要者は、全体として「キムチのたれ入りドレッシング」又は「キムチ用合わせ調味料入りドレッシング」の意味合いを容易に想起し、単に商品の品質を表示するものと理解するにとどまり、自他商品識別標識としての機能を果たし得ないものといわなければならない。
　したがって、本願商標が商標法第３条第１項第３号に該当するとして本願を拒絶した原査定は妥当であり、取消すことはできない。　
　よって、結論のとおり審決する。